(57)【特許請求の範囲】
【請求項１】
絶縁性材料で板状に形成されたハウジングにおける表裏面のうちの一方の面から端子ボルトのネジ部が突出し、他方の面からは該ネジ部よりも大径のネジ頭を前記絶縁性材料で覆ったネジ頭被覆部が突出した２枚の板状端子台が、前記他方の面どうしを対面させて重ねられてなり、
重ねられた当該２枚の板状端子台を該２枚の板状端子台と直交する直交方向から見た平面視において、前記ネジ頭被覆部どうしが互いにずれた位置に配置されるように、前記２枚の板状端子台それぞれの前記端子ボルトが設けられていることを特徴とする端子台。
【請求項２】
前記２枚の板状端子台それぞれにおいて、前記端子ボルトが複数、所定の配列方向に並べられるとともに、該配列方向に隣り合う少なくとも１組の前記端子ボルトの相互間で、該配列方向と直交するとともに前記ハウジングの表裏面と平行なズレ方向に、互いに位置がずれるように配列され、
隣り合う前記端子ボルトの前記ズレ方向のずれが、前記２枚の板状端子台の相互間において互い違いのずれになっていることを特徴とする請求項１に記載の端子台。
【請求項３】
前記２枚の板状端子台それぞれにおいて、前記端子ボルトが３つ以上、前記ズレ方向に交互に位置がずれた千鳥配列となるように前記配列方向に並べられて配置され、
前記２枚の板状端子台の相互間において、前記千鳥配列が互い違いの配列になっていることを特徴とする請求項２に記載の端子台。
【請求項４】
前記２枚の板状端子台それぞれが、導電性金属で帯板状に形成されたバスバーと、該バスバーの長手方向に沿った方向を前記配列方向として該配列方向に配列されるとともに、各々が前記バスバーに電気的に接続されて前記端子ボルトの前記ネジ部に貫通される複数の端子と、を備え、
前記２枚の板状端子台それぞれの前記ハウジングが、前記複数の端子それぞれに前記ネジ部を介して接続対象物が接続可能となるように各端子における前記ネジ部の周辺部を接続領域として露出させて前記バスバーと前記複数の端子とを収容しており、
前記２枚の板状端子台それぞれにおいて、前記複数の端子のうち、隣り合う少なくとも１組の端子それぞれにおける前記接続領域が、前記バスバーの幅方向に沿った方向を前記ズレ方向として該ズレ方向に互いにずれた位置に配置されていることを特徴とする請求項２又は３に記載の端子台。
【請求項５】
前記２枚の板状端子台それぞれにおいて、前記１組の端子それぞれにおける前記接続領域が、前記ズレ方向に互いにずれつつ、前記配列方向には、一方の端子の前記接続領域における他方の端子側の縁が、該他方の端子の前記接続領域における前記一方の端子側の縁よりも該他方の端子の中央寄りの位置まで入り込むように配置されていることを特徴とする請求項４に記載の端子台。
【請求項６】
前記２枚の板状端子台それぞれにおいて、前記複数の端子が３つ以上の端子であり、当該複数の端子それぞれにおける前記接続領域が、前記ズレ方向に交互に位置がずれた千鳥配列となるように前記配列方向に並べられて配置されていることを特徴とする請求項４又は５に記載の端子台。
【発明の詳細な説明】
【技術分野】
【０００１】
本発明は、端子台に関する。
【背景技術】
【０００２】
従来、例えば車両に搭載されるバッテリの電力を、車両内の回路に供給するための端子台が知られている（例えば、特許文献１参照）。このような端子台の中には、絶縁性材料で板状に形成されたハウジングにおける表裏面のうちの一方の面から端子ボルトのネジ部が突出した板状端子台がある。突出した端子ボルトのネジ部に、回路等から伸びてきた端子付き電線の先端に設けられた丸端子がナット締め等により接続される。
【０００３】
ここで、上記のような板状端子台を２枚、ネジ部が突出した面とは反対側の面どうしを対面させて重ねて、１つの端子台として用いる場合がある。これにより、片面のみから端子ボルトのネジ部が突出した片面接続用の板状端子台を流用してコストを削減しつつ、表裏両面から端子ボルトのネジ部が突出した両面接続用の端子台を構成することができる。
【先行技術文献】
【特許文献】
【０００４】
【特許文献１】特開２０１４−９６２１７号公報
【発明の概要】
【発明が解決しようとする課題】
【０００５】
ここで、上記のように２枚の板状端子台を重ねて１つの端子台を構成する場合、その構成上、端子台が厚くなりがちである。一方、近年では、車両の省スペース化が進み、上記のような端子台を設置するための空間的な余裕が減りつつあり、端子台はなるべく薄型である方が望ましい。
【０００６】
従って、本発明は、上記のような問題点に着目し、２枚の板状端子台を重ねて構成しつつも薄型化が図られた端子台を提供することを目的とする。
【課題を解決するための手段】
【０００７】
上記課題を解決するために、請求項１に記載の発明は、絶縁性材料で板状に形成されたハウジングにおける表裏面のうちの一方の面から端子ボルトのネジ部が突出し、他方の面からは該ネジ部よりも大径のネジ頭を前記絶縁性材料で覆ったネジ頭被覆部が突出した２枚の板状端子台が、前記他方の面どうしを対面させて重ねられてなり、重ねられた当該２枚の板状端子台を該２枚の板状端子台と直交する直交方向から見た平面視において、前記ネジ頭被覆部どうしが互いにずれた位置に配置されるように、前記２枚の板状端子台それぞれの前記端子ボルトが設けられていることを特徴とする端子台となっている。
【０００８】
請求項２に記載の発明は、請求項１に記載の端子台において、前記２枚の板状端子台それぞれにおいて、前記端子ボルトが複数、所定の配列方向に並べられるとともに、該配列方向に隣り合う前記端子ボルトどうしで、該配列方向と直交するとともに前記ハウジングの表裏面と平行なズレ方向に、互いに位置がずれるように配列され、隣り合う前記端子ボルトの前記ズレ方向のずれが、前記２枚の板状端子台の相互間において互い違いのずれになっていることを特徴とする。
【０００９】
請求項３に記載の発明は、請求項２に記載の端子台において、前記２枚の板状端子台それぞれにおいて、前記端子ボルトが３つ以上、前記ズレ方向に交互に位置がずれた千鳥配列となるように前記配列方向に並べられて配置され、前記２枚の板状端子台の相互間において、前記千鳥配列が互い違いの配列になっていることを特徴とする。
【００１０】
請求項４に記載の発明は、請求項２又は３に記載の端子台において、前記２枚の板状端子台それぞれが、導電性金属で帯板状に形成されたバスバーと、該バスバーの長手方向に沿った方向を前記配列方向として該配列方向に配列されるとともに、各々が前記バスバーに電気的に接続されて前記端子ボルトの前記ネジ部に貫通される複数の端子と、を備え、前記２枚の板状端子台それぞれの前記ハウジングが、前記複数の端子それぞれに前記ネジ部を介して接続対象物が接続可能となるように各端子における前記ネジ部の周辺部を接続領域として露出させて前記バスバーと前記複数の端子とを収容しており、前記２枚の板状端子台それぞれにおいて、前記複数の端子のうち、隣り合う少なくとも１組の端子それぞれにおける前記接続領域が、前記バスバーの幅方向に沿った方向を前記ズレ方向として該ズレ方向に互いにずれた位置に配置されていることを特徴とする。
【００１１】
請求項５に記載の発明は、請求項４に記載の端子台において、前記２枚の板状端子台それぞれにおいて、前記１組の端子それぞれにおける前記接続領域が、前記ズレ方向に互いにずれつつ、前記配列方向には、一方の端子の前記接続領域における他方の端子側の縁が、該他方の端子の前記接続領域における前記一方の端子側の縁よりも該他方の端子の中央寄りの位置まで入り込むように配置されていることを特徴とする。
【００１２】
請求項６に記載の発明は、請求項４又は５に記載の端子台において、前記２枚の板状端子台それぞれにおいて、前記複数の端子が３つ以上の端子であり、当該複数の端子それぞれにおける前記接続領域が、前記ズレ方向に交互に位置がずれた千鳥配列となるように前記配列方向に並べられて配置されていることを特徴とする。
【発明の効果】
【００１３】
請求項１に記載の発明によれば、重ねられた２枚の板状端子台を直交方向から見た平面視において、ネジ頭被覆部どうしが互いにずれた位置に配置されるように、２枚の板状端子台それぞれの端子ボルトが設けられている。これにより、２枚の板状端子台を重ねて端子台を構成するに当たり、ネジ頭被覆部どうしの干渉が回避される。仮にネジ頭被覆部どうしが干渉すると仮定すると、２枚の板状端子台を重ねるときには２つのネジ頭被覆部の厚みの合計に相当する間隔が、２枚の板状端子台の相互間に開くこととなる。これに対し、請求項１に記載の発明によれば、ネジ頭被覆部どうしの干渉が回避されるので、２枚の板状端子台を重ねるときの２枚の板状端子台の相互間の間隔は、ネジ頭被覆部１つ分の厚みに相当する間隔で済む。つまり、請求項１に記載の発明によれば、２枚の板状端子台を重ねて端子台を構成しつつも、その端子台の薄型化を図ることができる。
【００１４】
また、請求項２に記載の発明によれば、２枚の板状端子台それぞれにおいて、端子ボルトが複数、所定の配列方向に並べられる。さらに、この配列方向に隣り合う端子ボルトどうしで、配列方向と直交するとともにハウジングの表裏面と平行なズレ方向に、互いに位置がずれるように配列されている。複数の端子ボルトを、上記のズレ方向の位置が互いにずれるように配列することで、配列方向における間隔を詰めて複数の端子ボルトを配列することができる。つまり、請求項２に記載の発明によれば、各板状端子台に複数の端子ボルトを設けるに当たり、その配列方向の幅を短縮して各板状端子台の小型化、延いては端子台の小型化を図ることができる。そして、隣り合う端子ボルトのズレ方向のずれが、２枚の板状端子台の相互間において互い違いのずれになっていることから、ネジ頭被覆部どうしの干渉が回避され、２枚の板状端子台で構成される端子台の薄型化も図ることができる。
【００１５】
また、請求項３に記載の発明によれば、２枚の板状端子台それぞれにおいて、端子ボルトが３つ以上、上記のズレ方向に交互に位置がずれた千鳥配列となるように配列方向に並べられて配置される。そして、２枚の板状端子台の相互間において、千鳥配列が互い違いの配列になっている。これにより、端子ボルトの数を３つ以上に増やしても、配列方向における間隔を詰めて複数の端子ボルトを配列して端子台の小型化を図りつつ、ネジ頭被覆部どうしの干渉を回避して、２枚の板状端子台で構成される端子台の薄型化も図ることができる。
【００１６】
また、請求項４に記載の発明によれば、２枚の板状端子台それぞれにおいて、複数の端子のうち、隣り合う少なくとも１組の端子それぞれにおける接続領域が、バスバーの幅方向に沿ったズレ方向に互いにずれた位置に配置されている。これにより、上記のようにズレ方向に互いにずれた位置に配置された接続領域については、配列方向については間隔を詰めて配置することができる。つまり、請求項４に記載の発明によれば、複数の端子を設けるに当たり、少なくとも１組の端子について接続領域の配列方向の間隔を詰めて配置することで、この配列方向について２枚の板状端子台それぞれの寸法、即ち端子台の寸法を短縮して小型化を図ることができる。
【００１７】
また、請求項５に記載の発明によれば、２枚の板状端子台それぞれにおいて、配列方向には、一方の端子の接続領域における他方の端子側の縁が、該他方の端子の接続領域における前記一方の端子側の縁よりも該他方の端子の中央寄りの位置まで入り込むように配置されている。これにより、配列方向について接続領域の間隔を一層詰めて配置することができる。つまり、請求項５に記載の発明によれば、配列方向について２枚の板状端子台それぞれの寸法、即ち端子台の寸法を一層短縮して小型化を図ることができる。
【００１８】
また、請求項６に記載の発明によれば、２枚の板状端子台それぞれにおいて、３つ以上の端子それぞれにおける接続領域が千鳥配列となるように配列方向に並べられて配置されている。これにより、端子の数を３つ以上に増やしても、配列方向における接続領域の間隔を詰めて２枚の板状端子台それぞれの寸法、即ち端子台の小型化を図ることができる。
【図面の簡単な説明】
【００１９】
【図１】本発明の一実施形態の端子台を示す斜視図である。
【図２】図１に示されている端子台を構成する２枚の板状端子台それぞれにおける、端子ボルトのネジ部が突出する面の平面視を示す平面図である。
【図３】図１及び図２に示されている端子台を構成する２枚の板状端子台それぞれに内蔵されている板金構造物を示す平面図である。
【図４】図１に示されている端子台について薄型化が図られる様子を、２枚の板状端子台それぞれの端子ボルトを通る断面で示す模式図である。
【図５】２枚の板状端子台の相互間でネジ頭被覆部どうしを互いにずらす端子ボルトの配列の別例を示す図である。
【発明を実施するための形態】
【００２０】
本発明の一実施形態の端子台について図１〜図４を参照して説明する。図１は、本発明の一実施形態の端子台を示す斜視図であり、図２は、図１に示されている端子台を構成する２枚の板状端子台それぞれにおける、端子ボルトのネジ部が突出する面の平面視を示す平面図である。図３は、図１及び図２に示されている端子台を構成する２枚の板状端子台それぞれに内蔵されている板金構造物を示す平面図である。図４は、図１に示されている端子台について薄型化が図られる様子を、２枚の板状端子台それぞれの端子ボルトを通る断面で示す模式図である。
【００２１】
本実施形態の端子台１は、バッテリから供給される電力を回路に供給するためのものであり、図１において紙面手前側に図示されている第１の板状端子台１１と、紙面手前側に図示されている第２の板状端子台１２とが重ねられて構成される。図２（ａ）には、第１の板状端子台１１の平面図が示され、図２（ｂ）には、第２の板状端子台１２の平面図が示されている。
【００２２】
第１の板状端子台１１及び第２の板状端子台１２は、それぞれ、絶縁性材料で板状に形成されたハウジング１１１，１２１に、導電性金属で形成された次のような板金構造物１１２，１２２と、５本の端子ボルト１１３，１２３が収納されて構成されている。図３（ａ）には、第１の板状端子台１１のハウジング１１１に収納される板金構造物１１２が端子ボルト１１３とともに平面図で示されている。また、図３（ｂ）には、第２の板状端子台１２のハウジング１２１に収納される板金構造物１２２が端子ボルト１２３とともに平面図で示されている。
【００２３】
図３に示されているように、各板状端子台１１，１２の板金構造物１１２，１２２は、バスバー１１２ａ，１２２ａと、５つの回路端子１１２ｂ，１２２ｂと、５つの可溶体１１２ｃ，１２２ｃとを有している。尚、図１〜図３では、５本の端子ボルト１１３，１２３が互いに同等な要素であり、５つの可溶体１１２ｃ，１２２ｃも互いに同等な要素であるので、図を見易くするため、各板状端子台１１，１２につき１本の端子ボルト１１３，１２３、及び１つの可溶体１１２ｃ，１２２ｃにのみ代表的に符号を付している。また、５つの回路端子１１２ｂ，１２２ｂは、その形状に差異はあるものの実質的に互いに同等な要素であるので、これら５つの回路端子１１２ｂ，１２２ｂについても、各板状端子台１１，１２につき１つの回路端子１１２ｂ，１２２ｂにのみ代表的に符号を付している。
【００２４】
バスバー１１２ａ，１２２ａは、一端側が９０°折れ曲がってＬ字形状の帯板状に形成され、上記の一端側の先端が９０°に折起こされて、バッテリ等の電源からの電力が供給される給電端子１１２ａ−１，１２２ａ−１が形成されている。給電端子１１２ａ−１，１２２ａ−１には、例えばバッテリ端子等の電力供給部品に、端子台１をネジ止めにより電気的に接続するとともに機械的に固定するための貫通孔１１２ａ−２（図１参照）が設けられている。
【００２５】
５つの回路端子１１２ｂ，１２２ｂは、各板金構造物１１２，１２２において、バスバー１１２ａ，１２２ａの長手方向に沿った配列方向Ｄ１，Ｄ２に配列されて設けられている。各回路端子１１２ｂ，１２２ｂは、図１及び図２に示されているように、その表裏面のうちの一方の面の一部がハウジング１１１，１２１から露出している。この露出した部分が、不図示の回路から伸びてくる端子付き電線２，３の丸端子２１，３１が電気的に接続される接続領域１１２ｂ−１，１２２ｂ−１となっている。各接続領域１１２ｂ−１，１２２ｂ−１の略中央には、端子ボルト１１３，１２３のネジ部１１３ａ，１２３ａが貫通する貫通孔１１２ｂ−２，１２２ｂ−２が設けられている。この貫通孔１１２ｂ−２，１２２ｂ−２を貫通した端子ボルト１１３，１２３のネジ部１１３ａ，１２３ａに、端子付き電線２，３の丸端子２１，３１が通され、不図示のナットが締め付けられる。これにより、丸端子２１，３１が、回路端子１１２ｂ，１２２ｂの接続領域１１２ｂ−１，１２２ｂ−１に面接触した状態で締結されて、丸端子２１，３１が接続領域１１２ｂ−１，１２２ｂ−１に機械的に固定されるとともに電気的に接続される。
【００２６】
５つの可溶体１１２ｃ，１２２ｃは、各板金構造物１１２，１２２において、バスバー１１２ａ，１２２ａと５つの回路端子１１２ｂ，１２２ｂとを繋ぐ細帯状の部分である。各回路端子１１２ｂ，１２２ｂには、各可溶体１１２ｃ，１２２ｃを介して電流が流れる。閾値以上の電流が流れるとこの可溶体１１２ｃ，１２２ｃが溶断することにより、回路に過剰な電流が流れることが回避される。
【００２７】
ハウジング１１１，１２１は、給電端子１１２ａ−１，１２２ａ−１、各回路端子１１２ｂ，１２２ｂの接続領域１１２ｂ−１，１２２ｂ−１が露出するように板金構造物１１２，１２２を絶縁性材料で覆い固めて（モールディング）板状に形成されている。また、露出した接続領域１１２ｂ−１，１２２ｂ−１の周囲には、図１や図２に示されているように、図中下方に開放した周壁１１１ａ，１２１ａが形成されている。この周壁１１１ａ，１２１ａは、各接続領域１１２ｂ−１，１２２ｂ−１に接続された丸端子２１，３１を周囲から絶縁するとともに、端子付き電線２，３を図中下方に案内する役割を果たす。
【００２８】
また、ハウジング１１１，１２１には、可溶体１１２ｃ，１２２ｃの溶断を視認するための窓１１１ｂ，１２１ｂが設けられている。この溶断視認用の窓１１１ｂ，１２１ｂには、透明カバー１１４，１２４が嵌め込まれており、可溶体１１２ｃ，１２２ｃの溶断が、この透明カバー１１４，１２４越しに視認される。
【００２９】
また、ハウジング１１１，１２１は、各回路端子１１２ｂ，１２２ｂの貫通孔１１２ｂ−２，１２２ｂ−２をネジ部１１３ａ，１２３ａが貫通した端子ボルト１１３，１２３と一緒に板金構造物１１２，１２２を覆い固めている。このとき、端子ボルト１１３，１２３においてネジ部１１３ａ，１２３ａよりも大径のネジ頭１１３ｂ，１２３ｂは、貫通孔１１２ｂ−２，１２２ｂ−２を通ることなく回路端子１１２ｂ，１２２ｂにおける接続領域１１２ｂ−１，１２２ｂ−１とは反対側の面に位置する。ハウジング１１１，１２１では、回路端子１１２ｂ，１２２ｂにおけるこの反対側の面と端子ボルト１１３，１２３のネジ頭１１３ｂ，１２３ｂとが一体的に覆い固められている。そして、ネジ頭１１３ｂ，１２３ｂを覆ったネジ頭被覆部１１１ｃ，１２１ｃが、図１に示されているように、回路端子１１２ｂ，１２２ｂにおける上記反対側の面を覆う平坦面から突出している。
【００３０】
このように、各板状端子台１１，１２では、板状に形成されたハウジング１１１，１２１の表裏面のうちの一方の面に各回路端子１１２ｂ，１２２ｂの接続領域１１２ｂ−１，１２２ｂ−１が露出している。そして、各接続領域１１２ｂ−１，１２２ｂ−１の中央から端子ボルト１１３，１２３のネジ部１１３ａ，１２３ａが突出する。また、ハウジング１１１，１２１における他方の面からは、端子ボルト１１３，１２３のネジ頭１１３ｂ，１２３ｂを覆ったネジ頭被覆部１１１ｃ，１２１ｃが突出している。
【００３１】
そして、図１に示されているように、これら２枚の板状端子台１１，１２が、ネジ頭被覆部１１１ｃ，１２１ｃが突出している上記の他方の面どうしを対面させて重ねられる。重ねられた２枚の板状端子台１１，１２が、不図示の締結構造によって互いに締結されて端子台１が構成される。
【００３２】
このとき、端子台１では、各板状端子台１１，１２において端子ボルト１１３，１２３が次のように設けられている。即ち、重ねられた２枚の板状端子台１１，１２と直交する直交方向Ｄ３（図１）から見た平面視において、ネジ頭被覆部１１１ｃ，１２１ｃどうしが互いにずれた位置に配置されるように、２枚の板状端子台１１，１２それぞれの端子ボルト１１３，１２３が設けられている。
【００３３】
本実施形態では、各板状端子台１１，１２において５つの端子ボルト１１３，１２３は、配列方向Ｄ１，Ｄ２に隣り合う端子ボルト１１３，１２３どうしで、配列方向Ｄ１，Ｄ２と直交するとともにハウジング１１１，１２１の表裏面と平行なズレ方向Ｄ４，Ｄ５の位置が互いにずれるように配列されている。即ち、５つの端子ボルト１１３，１２３が、ズレ方向Ｄ４，Ｄ５に交互に位置がずれた千鳥配列となるように配列方向Ｄ１，Ｄ２に並べられて配置されている。
【００３４】
そして、配列方向Ｄ１，Ｄ２に隣り合う端子ボルト１１３，１２３のズレ方向Ｄ４，Ｄ５のずれが、２枚の板状端子台１１，１２の相互間において互い違いのずれとなっている。即ち、２枚の板状端子台１１，１２の相互間において、端子ボルト１１３，１２３の千鳥配列が互い違いの配列になっている。これにより、２枚の板状端子台１１，１２の相互間において、ネジ頭被覆部１１１ｃ，１２１ｃどうしが互いにずれた位置に配置されることとなっている。
【００３５】
本実施形態では、２枚の板状端子台１１，１２それぞれにおける上記のような端子ボルト１１３，１２３の配列は、各端子ボルト１１３，１２３のネジ部１１３ａ，１２３ａが貫通する回路端子１１２ｂ，１２２ｂの接続領域１１２ｂ−１，１２２ｂ−１における次のような配置によってなされている。
【００３６】
各板状端子台１１，１２では、５つの接続領域１１２ｂ−１，１２２ｂ−１が次のような位置に配置されている。即ち、上記の直交方向Ｄ３（図１）から見た平面視において、隣り合う回路端子１１２ｂ，１２２ｂの接続領域１１２ｂ−１，１２２ｂ−１が、バスバー１１２ａ，１２２ａの幅方向に沿ったズレ方向Ｄ４，Ｄ５に互いにずれた位置に配置されている。具体的には、５つの接続領域１１２ｂ−１，１２２ｂ−１が、ズレ方向Ｄ４，Ｄ５に交互に位置がずれた千鳥配列となるように配列方向Ｄ１，Ｄ２に並べられて配置されている。これにより、５本の端子ボルト１１３，１２３も、千鳥配列となるように配列方向Ｄ１，Ｄ２に並べられて配置されることとなっている。
【００３７】
さらに、本実施形態では、各板状端子台１１，１２において、隣り合う回路端子１１２ｂ，１２２ｂの接続領域１１２ｂ−１，１２２ｂ−１が、配列方向Ｄ１，Ｄ２に、図２に示されているように間隔Ｗ２，Ｗ３を詰めて配置されている。即ち、第１の板状端子台１１では、隣り合う回路端子１１２ｂのうちの一方の回路端子１１２ｂの接続領域１１２ｂ−１における他方の回路端子１１２ｂ側の縁１１２ｂ−１ａが、他方の回路端子１１２ｂの接続領域１１２ｂ−１における前記一方の回路端子１１２ｂ側の縁１１２ｂ−１ｂよりも該他方の回路端子１１２ｂの中央寄りの位置まで入り込むように配置されている。同様に、第２の板状端子台１２でも、隣り合う回路端子１２２ｂのうちの一方の回路端子１２２ｂの接続領域１２２ｂ−１における他方の回路端子１２２ｂ側の縁１２２ｂ−１ａが、他方の回路端子１２２ｂの接続領域１２２ｂ−１における前記一方の回路端子１２２ｂ側の縁１２２ｂ−１ｂよりも該他方の回路端子１２２ｂの中央寄りの位置まで入り込むように配置されている。
【００３８】
以上、説明したように本実施形態の端子台１によれば、重ねられた２枚の板状端子台１１，１２を直交方向Ｄ３（図１）から見た平面視において、ネジ頭被覆部１１１ｃ，１２１ｃどうしが互いにずれた位置に配置されるように、２枚の板状端子台１１，１２それぞれの端子ボルト１１３，１２３が設けられている。これにより、２枚の板状端子台１１，１２を重ねて端子台１を構成するに当たり、ネジ頭被覆部１１１ｃ，１２１ｃどうしの干渉が図４に模式的に示されているように回避される。図４（ａ）には、本実施形態における２枚の板状端子台１１，１２それぞれの端子ボルト１１３，１２３を通る断面が示されている。図４（ｂ）には、本実施形態と比較するための比較例として、平面視において、ネジ頭被覆部１１１ｃ，１２１ｃどうしが互いに一致する位置に配置された場合の２枚の板状端子台１１’，１２’の断面が示されている。
【００３９】
図４（ｂ）に示されているようにネジ頭被覆部１１１ｃ，１２１ｃどうしが互いに一致する位置に配置された場合、２枚の板状端子台１１’，１２’が重ねられるとネジ頭被覆部１１１ｃ，１２１ｃどうしが干渉する。この場合には、２枚の板状端子台１１’，１２’を重ねるときには２つのネジ頭被覆部１１１ｃ，１２１ｃの厚みの合計に相当する間隔Ｗ１’が、２枚の板状端子台１１’，１２’の相互間に開くこととなる。
【００４０】
これに対し、図４（ａ）に示されている本実施形態の端子台１によれば、ネジ頭被覆部１１１ｃ，１２１ｃどうしの干渉が回避されるので、２枚の板状端子台１１，１２を重ねるときの２枚の板状端子台１１，１２の相互間の間隔Ｗ１は、ネジ頭被覆部１１１ｃ，１２１ｃの１つ分の厚みに相当する間隔で済む。つまり、本実施形態の端子台１では、２枚の板状端子台１１，１２を重ねて端子台１を構成しつつも、その端子台１の薄型化が図られている。
【００４１】
尚、本実施形態では、２枚の板状端子台１１，１２の相互間でネジ頭被覆部１１１ｃ，１２１ｃどうしが互いにずれた位置に配置されるような端子ボルト１１３，１２３の配列の一例として、図２に示されているように、２枚の板状端子台１１，１２の相互間で互い違いの配列となった千鳥配列が例示されている。しかしながら、ネジ頭被覆部１１１ｃ，１２１ｃどうしを互いにずらす端子ボルト１１３，１２３の配列は、このような千鳥配列に限るものではなく、例えば、次のような別例の配列であってもよい。
【００４２】
図５は、２枚の板状端子台の相互間でネジ頭被覆部どうしを互いにずらす端子ボルトの配列の別例を示す図である。この図５には、各板状端子台１１”，１２”における端子ボルト１１３”，１２３”の配列以外は、図２に示されている端子台１と同等な別例の端子台１”が示されている。図５（ａ）には、別例の端子台１”における第１の板状端子台１１”の平面図が示され、図５（ｂ）には、別例の端子台１”における第２の板状端子台１２”の平面図が示されている。図５では、図２に示されている構成要素と同等な構成要素については、図２と同じ符号が付されており、以下では、これら同等な構成要素についての重複説明を省略する。
【００４３】
この図５に示されている別例では、第１の板状端子台１１”のハウジング１１１”において、回路端子１１２ｂ”の接続領域１１２ｂ−１”及び端子ボルト１１３”が配列方向Ｄ１に１列に配列されている。同様に、第２の板状端子台１２”のハウジング１２１”においても、回路端子１２２ｂ”の接続領域１２２ｂ−１”及び端子ボルト１２３”が配列方向Ｄ２に１列に配列されている。ただし、２枚の板状端子台１１”，１２”の相互間で、各１列の接続領域１１２ｂ−１”，１２２ｂ−１”及び端子ボルト１１３”，１２３”の配列が、配列方向Ｄ１，Ｄ２に直交するとともにハウジング１１１”，１２１”の表裏面に平行なズレ方向Ｄ６にずれている。そして、このような別例の配列を採用した端子台１”でも、２枚の板状端子台１１”，１２”の相互間で不図示のネジ頭被覆部の位置を互いにずらせて、図１〜図４を参照して説明した本実施形態の端子台１と同様に薄型化を図ることができる。
【００４４】
ここで、本実施形態の端子台１では、各板状端子台１１，１２において、隣り合う端子ボルト１１３，１２３が、上記のズレ方向Ｄ４，Ｄ５にずれて配列されている。これにより、これらの端子ボルト１１３，１２３の配列方向Ｄ１，Ｄ２における間隔Ｗ２，Ｗ３が、図５に示されている別例のように１列に配列されている端子ボルト１１３，１２３の配列方向Ｄ１，Ｄ２における間隔Ｗ２”，Ｗ３”よりも詰められている。その結果、本実施形態の端子台１では、各板状端子台１１，１２の配列方向Ｄ１，Ｄ２の幅Ｗ４，Ｗ５が、図５に示されている別例における各板状端子台１１”，１２”の配列方向Ｄ１，Ｄ２の幅Ｗ４”，Ｗ５”よりも短縮されている。本実施形態の端子台１では、この短縮により、各板状端子台１１，１２の小型化、延いては端子台１の小型化が図られている。そして、隣り合う端子ボルト１１３，１２３のズレ方向Ｄ４，Ｄ５のずれが、２枚の板状端子台１１，１２の相互間において互い違いのずれになっていることから、上述したようにネジ頭被覆部１１１ｃ，１２１ｃどうしの干渉が回避され、２枚の板状端子台１１，１２で構成される端子台１の薄型化も図られている。
【００４５】
また、本実施形態の端子台１では、２枚の板状端子台１１，１２それぞれにおいて、端子ボルト１１３，１２３が５つ、上記のズレ方向Ｄ４，Ｄ５に交互に位置がずれた千鳥配列となるように配列方向Ｄ１，Ｄ２に並べられて配置されている。そして、２枚の板状端子台１１，１２の相互間において、千鳥配列が互い違いの配列になっている。これにより、配列方向Ｄ１，Ｄ２における間隔Ｗ２，Ｗ３を詰めた５つの端子ボルト１１３，１２３の配列により端子台１の小型化が図られ、ネジ頭被覆部１１１ｃ，１２１ｃどうしの干渉の回避により、２枚の板状端子台１１，１２で構成される端子台１の薄型化も図られている。
【００４６】
また、本実施形態の端子台１によれば、２枚の板状端子台１１，１２それぞれにおいて、隣り合う回路端子１１２ｂ、１２２ｂの接続領域１１２ｂ−１，１２２ｂ−１が、バスバー１１２ａ，１２２ａの幅方向に沿ったズレ方向Ｄ４，Ｄ５に互いにずれた位置に配置されている。これにより、接続領域１１２ｂ−１，１２２ｂ−１が、配列方向Ｄ１，Ｄ２について上記のように間隔Ｗ２，Ｗ３を詰めて配置されて、この配列方向Ｄ１，Ｄ２について各板状端子台１１，１２の寸法Ｗ４，Ｗ５を短縮して小型化が図られている。
【００４７】
また、本実施形態の端子台１によれば、第１の板状端子台１１において、一方の回路端子１１２ｂの接続領域１１２ｂ−１における他方の回路端子１１２ｂ側の縁１１２ｂ−１ａが、該他方の回路端子１１２ｂの接続領域１１２ｂ−１における前記一方の回路端子１１２ｂ側の縁１１２ｂ−１ｂよりも該他方の回路端子１１２ｂの中央寄りの位置まで入り込むように配置されている。これにより、配列方向Ｄ１について接続領域１１２ｂ−１の間隔Ｗ２が一層詰められている。第２の板状端子台１２についても回路端子１２２ｂの同様の配置により、配列方向Ｄ２について接続領域１２２ｂ−１の間隔Ｗ３が一層詰められている。このように、本実施形態の端子台１では、配列方向Ｄ１，Ｄ２について各板状端子台１１，１２の寸法Ｗ４，Ｗ５が一層短縮されて小型化されている。
【００４８】
また、本実施形態の端子台１によれば、第１の板状端子台１１において、５つの回路端子１１２ｂそれぞれにおける接続領域１１２ｂ−１が千鳥配列となるように配列方向Ｄ１に並べられて配置されている。これにより、回路端子１１２ｂの数を５つに増やしつつも、配列方向Ｄ１における接続領域１１２ｂ−１の間隔Ｗ２を詰めて第１の板状端子台１１の小型化が図られている。第２の板状端子台１２についても５つの回路端子１２２ｂの同様の配置により、接続領域１２２ｂ−１の間隔Ｗ３を詰めて第２の板状端子台１２の小型化が図られている。
【００４９】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の端子台の構成を具備する限り、勿論、本発明の範疇に含まれるものである。
【００５０】
例えば、上述した実施形態及び別例では、本発明にいう端子台の一例として、可溶体１１２ｃ，１２２ｃを介して電力を回路に供給するいわゆるヒュージブルリンクとしての端子台１が例示されている。しかしながら、本発明にいう端子台は、これに限るものではなく、例えば可溶体を備えない単純な端子台であってもよい。
【００５１】
また、上述した実施形態及び別例では、本発明にいう板状端子台の一例として、５つの端子ボルト１１３，１２３を備えた板状端子台１１，１２が例示されている。しかしながら、本発明にいう板状端子台は、これに限るものではなく、端子ボルトを１つ備えたものであってもよく、端子ボルトを５つ以外の複数個備えたものであってもよい。同様に、各端子ボルトのネジ部が貫通する端子についても、その数を問うものではない。
【００５２】
また、本発明にいう端子台の一例として、上述した実施形態では、２枚の板状端子台１１，１２の相互間で、互い違いの千鳥配置に端子ボルト１１３，１２３が配列された端子台１が例示され、別例では、２枚の板状端子台１１”，１２”の相互間で位置をずらせて端子ボルト１１３，１２３が各々１列に配列された端子台１”が例示されている。しかしながら、本発明にいう端子台は、これらに限るものではなく、２枚の板状端子台の相互間でネジ頭被覆部どうしが互いにずれた位置に配置されるものであれば、端子ボルトの具体的な配列やずらせ方を問うものではない。同様に、各端子ボルトのネジ部が貫通する端子についても、その接続領域の具体的な配列やずらせ方を問うものではない。
【符号の説明】
【００５３】
１，１”      端子台
１１，１１”  第１の板状端子台
１２，１２”  第２の板状端子台
１１１，１１１”，１２１，１２１”  ハウジング
１１１ｃ，１２１ｃ  ネジ頭被覆部
１１２ａ，１２２ａ  バスバー
１１２ｂ，１１２ｂ”，１２２ｂ，１２２ｂ”  回路端子（端子）
１１２ｂ−１，１１２ｂ−１”，１２２ｂ−１，１２２ｂ−１”  接続領域
１１２ｂ−１ａ，１１２ｂ−１ｂ，１２２ｂ−１ａ，１２２ｂ−１ｂ  縁
１１３，１１３”，１２３，１２３”  端子ボルト
１１３ａ，１２３ａ  ネジ部
１１３ｂ，１２３ｂ  ネジ頭
Ｄ１，Ｄ２    配列方向
Ｄ３    直交方向
Ｄ４，Ｄ５    ズレ方向
【図１】
0006563323.tif 000002
【図２】
0006563323.tif 000003
【図３】
0006563323.tif 000004
【図４】
0006563323.tif 000005
【図５】
0006563323.tif 000006